(57)【要約】【課題】画像処理装置が有する枠消し機能における原稿画像の出力範囲の設定を容易にすること。【解決手段】原稿台に主走査方向及び副操作方向へスライド可能なスライド部材３３ａ，３３ｂを設け，該スライド部材の位置を検出し，検出された位置に基づいて，例えば原稿合わせ基準位置と上記検出位置とにより囲まれた範囲内の画像データを出力することにより，数値入力という煩わしい入力作業を繰り返し行なうことなく，容易に出力範囲を設定することができる。また所定の画面に読み取られた画像データを表示させて，該表示画面上で出力範囲の設定を可能とすることにより，更に容易に出力範囲を設定することが可能となる。【選択図】図２
2004328080.tif 000002
【特許請求の範囲】
【請求項１】
所定の画像読取手段により原稿台に載置された原稿画像を読み取り，当該読み取られた画像データを出力する画像処理装置において、
主走査方向にスライド可能な主走査方向スライド部材及び／若しくは副走査方向にスライド可能な副走査方向スライド部材と，
上記スライド部材の位置を検出する位置検出手段と，
上記位置検出手段の検出結果に基づいて上記原稿画像の印刷範囲を設定する印刷範囲設定手段と，
少なくとも上記印刷範囲設定手段により設定された印刷範囲内の画像データを上記読み取られた画像データとして出力する設定範囲出力手段と，
を具備してなることを特徴とする画像処理装置。
【請求項２】
上記スライド部材が，原稿台の外縁から垂直方向に突出してなる形状に形成されてなる請求項１に記載の画像処理装置。
【請求項３】
上記主走査方向スライド部材が副走査方向へ垂直に伸びる板棒状のもの，及び上記副走査方向スライド部材が主走査方向へ垂直に伸びる板棒状に形成されてなる請求項１又は２に記載の画像処理装置。
【請求項４】
上記スライド部材が１又は複数からなるものである請求項１〜３のいずれかに記載の画像処理装置。
【請求項５】
上記位置検出手段が，所定の原稿基準位置から上記スライド部材の位置を検出するものである請求項１〜４のいずれかに記載の画像処理装置。
【請求項６】
上記位置検出手段が，上記スライド部材に設けられた所定の模様，色彩若しくは符号を検出するものである請求項１〜５のいずれかに記載の画像処理装置。
【請求項７】
上記設定範囲出力手段が，上記印刷範囲設定手段により設定された印刷範囲外の画像データを削除して出力するものである請求項１〜６のいずれかに記載の画像処理装置。
【請求項８】
上記設定範囲出力手段が，上記印刷範囲設定手段により設定された印刷範囲外の画像データを白画像データに置換して出力するものである請求項１〜７のいずれかに記載の画像処理装置。
【請求項９】
上記設定範囲出力手段が，上記印刷範囲設定手段により設定された印刷範囲外の画像データを，上記印刷範囲内で最も広範囲に使用されている色彩データに置換して出力するものである請求項１〜８のいずれかに記載の画像処理装置。
【請求項１０】
所定の画像読取手段により原稿台に載置された原稿画像を読み取り，当該読み取られた画像データを出力する画像処理装置において、
上記画像読取手段により読み取られた原稿画像の画像データを記憶する画像データ記憶手段と，
上記画像データ記憶手段に記憶された画像データを所定の画面に表示する画面表示手段と，
上記画面表示手段により表示された画面上で上記原稿画像の出力領域を設定する出力領域設定手段と，
少なくとも上記出力領域設定手段により設定された出力領域に対応する画像データを上記読み取られた画像データとして出力する設定領域出力手段と，
を具備してなることを特徴とする画像処理装置。
【請求項１１】
上記出力領域設定手段が，上記画面表示手段により表示された画面上において１以上の任意のポイントを指定することにより出力領域を設定するものである請求項１０に記載の画像処理装置。
【請求項１２】
上記出力領域設定手段が，上記画面表示手段により表示された画面上において２若しくは４の任意のポイントに基づいて定められた領域を設定するものである請求項１０又は１１に記載の画像処理装置。
【請求項１３】
上記設定領域出力手段が，上記出力領域設定手段により設定された出力領域外の画像データを削除して出力するものである請求項１０〜１２のいずれかに記載の画像処理装置。
【請求項１４】
上記設定領域出力手段が，上記出力領域設定手段により設定された出力領域外の画像データを白画像データに置換して出力するものである請求項１０〜１３のいずれかに記載の画像処理装置。
【請求項１５】
上記設定領域出力手段が，上記出力領域設定手段により設定された出力領域外の画像データを，上記出力領域内で最も広範囲に使用されている色彩データに置換して出力するものである請求項１０〜１４のいずれかに記載の画像処理装置。
【発明の詳細な説明】
【０００１】
【発明の属する技術分野】
本発明は，読み取られた原稿画像の画像データを出力する画像処理装置に関し，特に本等の厚みのある原稿画像の読み取りに適した画像処理装置に関するものである。
【０００２】
【従来の技術】
本等の厚みのある原稿画像を読み取って印刷出力等する場合，原稿画像だけでなく，その周囲の原稿の影部分も印刷出力することがある。
このような影部分は画像処理装置の枠消し機能により消去することができる。この枠消し機能は，ユーザが印刷出力する原稿画像データの枠の座標を数値入力により設定することにより，設定された枠外の画像データを消去して印刷出力する機能である。この機能を用いれば，原稿の影部分が記録紙に印刷されずに済み，きれいに原稿を印刷出力することができる。
【０００３】
【発明が解決しようとする課題】
しかしながら，上記数値入力により枠を指定する方法では，正確に枠を設定するには，試行錯誤的に数値を入力し，テストプリントを繰り返し行う必要があった。かかる繰り返し作業は煩雑であり，多大な時間の浪費と紙資源の無駄を招くものであった。
【０００４】
特許文献１には，枠消し機能により印刷する場合に，設定された枠を明確に表示してテストプリントするテストプリントモードを備える画像処理装置が提案されており，操作者はテストプリントされた画像において設定された枠が正確かどうかを容易に確認することができる。これにより，従来生じていた時間の浪費及び紙資源の無駄を低減することが可能となるが，排除することはできない。
従って，本発明は上記事情に鑑みてなされたものであり，その目的とするところは，上記時間と紙資源の無駄を排除するために，出力する原稿画像の出力範囲を容易に設定することができる画像処理装置を提供することにある。
【０００５】
【特許文献１】
特開２０００−２２４４００号公報
【０００６】
【課題を解決するための手段】
上記目的を達成するために本発明は，所定の画像読取手段により原稿台に載置された原稿画像を読み取り，当該読み取られた画像データを出力する画像処理装置において、主走査方向にスライド可能な主走査方向スライド部材及び／若しくは副走査方向にスライド可能な副走査方向スライド部材と，上記スライド部材の位置を検出する位置検出手段と，上記位置検出手段の検出結果に基づいて上記原稿画像の印刷範囲を設定する印刷範囲設定手段と，少なくとも上記印刷範囲設定手段により設定された印刷範囲内の画像データを上記読み取られた画像データとして出力する設定範囲出力手段と，を具備してなることを特徴とする画像処理装置として構成されている。このように構成されることにより，操作者は，煩雑な数値入力という作業をすることなく，上記スライド部材を操作するという簡単な方法により原稿画像の出力範囲を設定することが可能となる。その結果，何度も出力範囲の設定をする必要がなくなり，前記の時間の無駄及び紙資源の無駄が排除される。
この場合，原稿画像の出力範囲の設定を容易にするため，上記スライド部材が原稿台の外縁から垂直方向に突出した形状に形成されてなるものが望ましく，或いは，上記主走査方向スライド部材が副走査方向へ垂直に伸びる板棒状のもの，及び上記副走査方向スライド部材が主走査方向へ垂直に伸びる板棒状に形成されてなるものが望ましい。また，上記スライド部材が複数設けられたものであれば，出力範囲の設定の自由度が高まり，より正確に出力範囲が設定され得る。
【０００７】
ここで，上記位置検出手段が，所定の原稿基準位置から上記スライド部材の位置を検出するものが考えられる。このように原稿基準位置を予め特定することにより，上記スライド部材の位置を容易に検出することができる。
また，上記位置検出手段が，上記スライド部材に設けられた所定の模様，色彩若しくは符号を検出するものも考えられる。例えば，上記画像読取手段が走査中に，上記スライド部材に付されたバーコード等のような符号や模様或いは色彩を読み取ることで，スライド部材の位置を検出することが可能となる。
【０００８】
更に，上記設定範囲出力手段が，上記出力範囲設定手段により設定された出力範囲外の画像データを削除して出力するもの，或いは上記設定範囲出力手段が上記出力範囲設定手段により設定された出力範囲外の画像データを白画像データに置換して出力するものであることが望ましい。更にまた，上記設定範囲出力手段が，上記出力範囲設定手段により設定された出力範囲外の画像データを，上記出力範囲内で最も広範囲に使用されている色彩データに置換して出力するものであってもよい。これにより，例えば本等の厚みのある原稿周囲の影部分が出力されなくなる。
【０００９】
更にまた，上記目的は以下の画像処理装置によっても達成され得る。
即ち，所定の画像読取手段により原稿台に載置された原稿画像を読み取り，当該読み取られた画像データを出力する画像処理装置において、上記画像読取手段により読み取られた原稿画像の画像データを記憶する画像データ記憶手段と，
上記画像データ記憶手段に記憶された画像データを所定の画面に表示する画面表示手段と，上記画面表示手段により表示された画面上で上記原稿画像の出力領域を設定する出力領域設定手段と，少なくとも上記出力領域設定手段により設定された出力領域に対応する画像データを上記読み取られた画像データとして出力する設定領域出力手段と，を具備してなることを特徴とする画像処理装置として構成されていても良い。これにより，操作者は，読み取られた画像データを出力処理する前に確認することができ，画像データを見ながら出力領域を設定することが可能となり，より正確に出力範囲を設定することができる。
この場合，原稿画像の出力領域の設定を容易にするため，上記出力領域設定手段が，上記画面表示手段により表示された画面上において１以上の任意のポイントを指定するものであることが望ましく，或いは，２若しくは４の任意のポイントに基づいて定められた領域を設定するものであることが望ましい。
【００１０】
更に，上記設定領域出力手段が，上記出力領域設定手段により設定された出力範囲外の画像データを削除して出力するもの，或いは上記設定領域出力手段が上記出力領域設定手段により設定された出力出力領域外の画像データを白画像データに置換して出力するものであることが望ましい。更にまた，上記設定領域出力手段が，上記出力領域設定手段により設定された出力領域外の画像データを，上記出力領域範囲内で最も広範囲に使用されている色彩データに置換して出力するものであってもよい。これにより，例えば本等の厚みのある原稿周囲の影部分が出力されなくなる。
【００１１】
【発明の実施の形態】
以下添付図面を参照しながら，本発明の一実施の形態について説明し，本発明の理解に供する。尚，以下の実施の形態は，本発明を具体化した一例であって，本発明の技術的範囲を限定する性格のものではない。
ここに，図１は本発明の実施の形態１に係るディジタル複写機Ａ１の概略構成を示すブロック図，図２はスライド部材を備えた原稿台の模式図，図３はスライド部材の一例を示す図，図４は本発明の実施の形態１に係るディジタル複写機Ａ１の印刷処理手順の一例を説明するフローチャート，図５は本発明の実施の形態２に係るディジタル複写機Ａ２の概略構成を示すブロック図，図６は本発明の実施の形態２に係るディジタル複写機Ａ２の印刷処理手順の一例を説明するフローチャート，図７は枠消し設定画面の一例を示す図，図８は画像データを表示させる画像表示枠の一例を示す図である。
【００１２】
（実施の形態１）
まず，図１及び図２を用いて，本発明の実施の形態１に係るディジタル複写機Ａ１（画像処理装置の一例）の概略構成について説明する。
図１に示されるように，本ディジタル複写機Ａ１は，該複写機Ａ１が有する枠消し機能等の設定や複写開始指示等を行うと共に，上記機能の設定画面等を表示するタッチパネル等からなるの操作表示部１５と，原稿画像を走査して画像データを読み取るＣＣＤ等からなる画像読取部１６と，上記画像読取部１６により読み取られた原稿画像の画像データ等を記憶する記憶部１７と，画像データに基づいて記録紙に画像を印刷する印刷部１８と，上記各部を制御すると共に，位置検出機能１１（位置検出手段により実現），出力範囲設定機能１２（出力範囲設定手段により実現）及び設定範囲出力機能１３（設定範囲出力手段により実現）を実行するＣＰＵやＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等からなる制御部１０とを具備して構成されている。
また，図２（ａ）に示されるように，ディジタル複写機Ａ１の原稿台３０にはその端辺を副走査方向（Ｘ方向）にスライド可能なスケール３３ａ（副走査方向スライド部材の一例）と，主走査方向（Ｙ方向）にスライド可能なスケール３３ｂ（主走査方向スライド部材の一例）とが設けられている。上記各スケールにはバーコード等の符号や模様或いは色彩が付されており，かかる符号等は上記画像読取部１６により読み取られる箇所（例えばスケールの裏面（図３参照））に付されている。また，符号ではなく，全反射する鏡面や，蛍光性の塗料が塗布されたものであっても良い。即ち，通常の原稿とは異なる部分であることが，光学的或いは画像処理によって容易に判別できるものであれば良い。
【００１３】
ここで，上記制御部１０が実行する位置検出機能１１，出力範囲設定機能１２，設定範囲出力機能１３について説明する。
位置検出機能１１とは，上記スライド部材の位置を検出する機能であって，画像読取部１６がスケール３３ａ及び３３ｂに付された上記符号等を読み取り，画像読取部１６により読み取られた画像データ全体における上記符号等の位置を検出する機能である。
【００１４】
以下に，上記符号等の位置を検出する方法の一例を説明する。
操作者によりコピー動作が開始されると，制御部１０のＣＰＵやＡＳＩＣ等は画像読取部１６を用いて原稿台３０全体を読み取る処理を実行する。原稿台全体を読み取ることにより，上記スライド部材に付された符号等も画像データとして読み取られることになる。画像読取部１６により読み取られた画像データは，その後，記憶部１７に記憶される。制御部１０は，予め他の記憶領域に記憶しておいた上記符号等の画像データが上記読取画像データに含まれているかどうかの照合処理を実行する。この照合処理により読取画像データに上記符号等が含まれているかどうかが判断される。読取画像データに上記符号等が含まれていると判断されると，原稿台３０全体の上記符号等の位置を検出することができ，即ち，上記原稿台３０にセットされたスライド部材の位置を検出することが可能となる。この場合，上記符号等は上記ＡＳＩＣ等からなる制御部１０が認識し得るものであれば足りる。
上記画像読取部１６が上記符号等を読み取るまでに移動した距離（原稿合わせ基準位置３７からの距離）や，上記画像読取部１６の走査速度等から上記スケールの位置を検出することも考えられる。更に，上記スケールに取り付けられたポテンショメータ等の位置センサからの電気信号を検知して上記スケールの位置を検出するものであっても良い。
このような位置検出機能１１を具備することにより，上記ディジタル複写機Ａ１は，原稿３１のサイズに合わせられたスケール３３ａ，３３ｂの位置を検出することが可能となり，即ち原稿台３０全体に対する原稿３１の位置を検出することが可能となる。
【００１５】
尚，上記スケール３３ａ，ｂは，図３（ａ），（ｂ）に示されるように，原稿台３０の外縁を副操作方向，主走査方向へスライドして移動し得るものが考えられる。この場合，上記符号等は上記スケール３３ａ，ｂの符号等記載面３９に付されていることを要する。即ち，画像読取部１６が読み取ることが可能な位置に付されていることを要する。
また，図２（ｂ）に示されるように，上記スケールは原稿台の外縁３８から垂直方向に伸びる棒状板に形成されてなるものであってもよい。即ち，主走査方向へ垂直に伸びる棒状板３４ａ，及び副走査方向へ垂直に伸びる棒状板３４ｂにより構成されていてもよい。この場合，上記符号等は上記棒状板３４ａ，ｂの裏面全面に付されていることが望ましい。
【００１６】
出力範囲設定機能１２とは，上記位置検出機能１１により検出された上記スライド部材の位置に基づいて上記原稿画像の出力範囲を設定する機能である。例えば，上記スケール３３ａの位置から主走査方向へ伸ばされた垂線と，上記スケール３３ｂの位置から副走査方向へ伸ばされた垂線と，原稿合わせ基準位置３７とにより囲まれた範囲を印刷出力する原稿画像とみなす機能である。
通常，画像読取部１６は原稿画像のみを走査するのではなく，原稿台全体を走査して読み取った画像データを指定の記録紙に印刷出力する。従って，原稿画像が記録紙の用紙サイズより小さい場合は，画像読取部１６が読み取った原稿周囲の画像データ（図２に示す斜線部分）が記録紙に印刷されてしまう。特に厚みのある原稿が読み取られた場合は，上記原稿周囲の影部分も読み取られ，この影部分が原稿の黒枠のように印刷される。このような場合に，原稿画像データと原稿周囲の画像データとを区別して原稿画像データのみを印刷出力するために出力範囲を設定する機能が上記出力範囲設定機能１２である。
【００１７】
設定範囲出力機能１３とは，少なくとも上記出力範囲設定機能１２により設定された出力範囲内の画像データを上記画像読取部１６により読み取られた画像データとして出力する機能である。具体的には，画像読取部１６が原稿台３０全面の画像データを読み取った場合であっても，上記出力範囲設定機能１２により設定された範囲内の画像データのみを印刷出力する機能である。即ち，この場合，上記出力範囲設定機能１２により設定された出力範囲外の画像データは読み取られなかった画像データとして扱われ，その部分には画像形成が行われない。そのためには，上記出力範囲外の画像データを削除して出力することが考えられ，或いは出力範囲外の画像データを白画像データに置換して出力することも考えられる。
更に，地色が有色の原稿を印刷処理する場合は，上記出力範囲外の画像データを上記出力範囲内で最も広範囲に使用されている色彩データに置換して出力することが望ましい。最も広範囲に使用されている色彩であれば，それは原稿に使用されている用紙の地色であると認識されるからであり，原稿より外れた部分が原稿と同じ色（地色）に印刷されるので，自然な出来上がりになる。
【００１８】
続いて，図２及び図４を用いて，本等の厚手原稿がセットされた場合に，ディジタル複写機Ａ１の制御部１０が実行する印刷処理について説明する。まず，操作者は複写指示を与える前に，図２（ａ）に示すように，複写する原稿を原稿台にセットする必要がある。図２（ａ）は，複写する厚手原稿３１が，原稿台３０の原稿合わせ基準位置３７に合わせられて，更にスケール３３ａ及び３３ｂが原稿３１のＸ方向の端部及びＹ方向の端部に合わせられた状態を模式的に示している。このような状態で原稿３１がセットされ，更に図外の枠消しを指定するボタンが押される等により枠消し機能が設定されて，図外のプリントボタンが押される等によって印刷指示がなされた場合は，ディジタル複写機Ａ１の制御部１０は以下に述べる印刷処理を実行する。尚，図４中のＳ１０，Ｓ２０，…は処理手順（ステップ）番号を示す。処理はステップＳ１０より開始される。
【００１９】
ステップＳ１０において，制御部１０は枠消し機能が設定されていると判断すると，画像読取部１６に原稿画像を走査させて原稿の画像データを読み取る処理を実行する（Ｓ２０）。その後，読み取られた画像データは記憶部１７に記憶される（Ｓ３０）。この場合，上記記憶部１７に記憶された画像データには少なくとも原稿３１の画像データ，原稿３１の周囲の影画像データ，及び上記スケールに付された所定の符号等の画像データが含まれることになる。
【００２０】
ステップＳ４０では，上記記憶部１７に記憶された画像データから上記スケール３３ａ，ｂの裏面に付された符号等の画像データを識別して，画像データ全体における上記符号等の位置を算出する。このように，上記ステップＳ２０でスケールに付された所定の符号等を読み取り，その符号等に基づきステップＳ４０でスケールの位置を検出する処理を実行する機能が位置検出機能１１の一例である。
【００２１】
上記スケールの位置が検出されると，続いてステップＳ５０において，原稿画像の印刷範囲が設定される。例えば上記スケール３３ａの位置から主走査方向へ伸ばされた垂線と，上記スケール３３ｂの位置から副走査方向へ伸ばされた垂線と，原稿合わせ基準位置３７とにより囲まれた範囲が実際に印刷出力する原稿画像と設定される。
このように，上記ステップＳ５０において原稿画像の印刷範囲を設定する処理を実行する機能が出力範囲設定機能１２の一例である。
【００２２】
ステップＳ６０では，制御部１０によって上記設定された印刷範囲以外の画像データが予め所定の記憶部に格納されていた白画像データに置換される。この場合，上記スケールに付された符号等の画像データも白画像データに置換される。従って，白画像データ置換処理後の記憶部７には，原稿画像データと白画像データしか存在しないため，かかる画像データを印刷データとして印刷処理することにより，原稿画像の周囲の影部分が印刷されず，原稿画像のみが印刷出力される（Ｓ７０）。
このように，上記ステップＳ６０，Ｓ７０においてステップＳ５０で設定された印刷範囲以外の画像データを白画像データに置換して印刷出力処理を実行する機能が設定範囲出力機能１３の一例である。もちろん前記したように，印刷範囲以外の画像データを原稿の地の色に置換しても良い。
【００２３】
（実施の形態２）
図５を用いて，本発明の実施の形態２に係るディジタル複写機Ａ２（画像処理装置の一例）の概略構成について説明する。
図５に示されるように，本ディジタル複写機Ａ２は，該複写機Ａ２が有する枠消し機能等の設定や複写開始指示等を行うと共に，上記機能の設定画面等を表示するタッチパネル等からなるの操作表示部５５と，原稿画像を走査して画像データを読み取るＣＣＤ等からなる画像読取部５６と，上記画像読取部５６により読み取られた原稿画像の画像データ等を記憶する記憶部５７と，画像データに基づいて記録紙に画像を印刷する印刷部５８と，上記各部を制御すると共に，画像データ記憶機能５１（画像データ記憶手段により実現），画面表示機能５２（画面表示手段により実現），出力領域設定機能５３（出力領域設定手段により実現）及び設定領域出力機能５４（設定領域出力手段により実現）を実行するＣＰＵやＡＳＩＣ等からなる制御部５０とを具備して構成されている。
【００２４】
ここで，上記制御部５０が実行する画像データ記憶機能５１，画面表示機能５２，出力領域設定機能５３及び設定領域出力機能５４について説明する。
画像データ記憶機能５１とは，上記画像読取部５６により読み取られた原稿画像の画像データや，該画像データから生成される表示用画像データを記憶部５７に記憶する機能である。
【００２５】
画面表示機能５２とは，上記記憶部５７に記憶された画像データを所定の画面に表示する機能である。具体的には操作表示部５５に表示される枠消し機能設定画面８１（図７）の画面表示枠７９に表示させる機能である。この場合，読み取られた画像データは重量であるため，かかるデータを圧縮等により軽量にして表示することが望ましい。このように読み取られた画像データを画面表示させることによって，ユーザは該画像データを視覚的に確認することができる。
【００２６】
出力領域設定機能５３とは，上記画面表示機能５２により表示された画面上で上記原稿画像の出力領域を設定する機能であって，枠消し機能設定画面７１を表示させて，ユーザに対して上記操作表示部５５のタッチキー機能やペン入力機能等を用いて画面表示枠７９に表示された画像データに基づいて出力領域を設定させる機能である。例えば画面表示機能５２により表示された画面表示枠７９において１以上の任意のポイントを指定することにより出力領域を設定する，或いは２若しくは４の任意のポイントに基づいて定められた領域を設定することが考えられる。具体的な設定方法については後述する。
【００２７】
設定領域出力機能５４とは，少なくとも上記出力領域設定機能５３により設定された出力領域に対応する画像データを上記画像読取部５６により読み取られた画像データとして出力する機能である。具体的には，画像読取部５６が原稿台全面の画像データを読み取った場合であっても，上記出力領域設定機能５３により設定された領域内の画像データのみを印刷出力処理する機能である。即ち，この場合，上記出力領域設定機能５３により設定された出力領域外の画像データは読み取られなかった画像データとして扱われ，その部分には画像形成が行われない。そのためには，上記出力領域外の画像データを削除して出力することが考えられ，或いは出力領域外の画像データを白画像データに置換して出力することも考えられる。
更に，地色が有色の原稿を印刷処理する場合は，上記出力領域外の画像データを上記出力領域内で最も広範囲に使用されている色彩データに置換して出力することも考えられる。最も広範囲に使用されている色彩であれば，それは原稿に使用されている用紙の地色であると認識されるからであり，原稿より外れた部分が原稿と同じ色（地色）に印刷されるので，自然な出来上がりになる。
【００２８】
続いて，図６を用いて，本等の厚手原稿が原稿台にセットされ，図外の枠消しを指定するボタンが押される等により枠消し機能が設定されて，図外のプリントボタンが押される等によって印刷指示がなされた場合に，ディジタル複写機Ａ１の制御部５０が実行する印刷処理について説明する。図中のＳ１１０，Ｓ１２０，…は処理手順（ステップ）番号を示す。処理はステップＳ１１０より開始される。
【００２９】
ステップＳ１１０において，制御部５０は枠消し機能が設定されていると判断すると，画像読取部５６に原稿画像を走査させて原稿の画像データを読み取る処理を実行する（Ｓ１２０）。その後，読み取られた画像データは記憶部５７に記憶される（Ｓ１３０）。続いて制御部５０は上記記憶部５７に記憶された画像データから，操作表示部５５に表示させるための表示用画像データを生成する（Ｓ１４０）。読み取られた画像データは重量であるため，かかるデータを圧縮等することにより軽量データを生成させる。生成された表示用画像データは上記記憶部５７に記憶される。これにより，上記記憶部５７には読み取られた画像データと表示用画像データが存在することになる。
このように，上記ステップＳ１３０における画像データの記憶処理，及びステップＳ１４０における表示用画像データの記憶処理を実行する機能が画像データ記憶機能５１の一例である。
【００３０】
次にステップＳ１５０において上記記憶部５７に記憶された表示用画像データが上記操作表示部５５に表示される。具体的には操作表示部５５に表示される枠消し機能設定画面７１の画面表示枠７９に表示される。該が面表示枠７９に画像データを表示させることにより，ユーザは読み取られた画像データを出力処理する前に視覚的に確認することができる。
このように，上記画面表示枠７９に読み取られた画像データを表示する処理を実行する機能が画面表示機能５２の一例である。
【００３１】
続いて，ステップＳ１６０において，印刷領域が設定される。この印刷領域は操作表示部５５に表示された枠消し機能設定画面７１に設けられた設定完了キー７２，設定クリアキー７３，元に戻るキー７４，キャンセルキー７５の入力信号と，画面表示枠７９に表示された画像データにタッチキー等により入力された信号に基づいて設定される。
例えば，本等の厚手原稿を原稿台にセットする場合は，複写機の原稿抑え扉を開けた状態で原稿画像を読み取らせることがよくある。この場合は，原稿画像以外の領域は図７の画面表示枠７９に示されるように略黒画像データとして読み取られる。従って，かかる黒画像領域をタッチパネル上で触れることにより該黒画像領域を印刷領域外と設定し，黒画像領域以外の領域を原稿画像と認識させて印刷領域と設定することが考えられる。
また，図８（ａ）に示される画面表示枠７９ａにおいて任意のポイント８１がユーザにより指定された場合に，原稿合わせ基準位置３７に対応するポイント３７ａと指定されたポイント８１とにより囲まれる範囲（即ちポイント８１及び３７ａから副走査方向に引かれたライン８３，８４と，主走査方向に引かれたライン８２，８５とにより囲まれた範囲）を印刷領域に設定することが考えられる。
更にまた，図８（ｂ）の画面表示枠７９ｂに，スライドバー８６及び８７を表示させ，上記スライドバー８６を左右にスライドさせる水平スクロール８６ａ，８６ｂを設け，更に上記スライドバー８７を上下にスライドさせる上下スクロール８７ａ，８７ｂを設けて，上記スライドバーをスクロールさせることにより印刷領域を設定することが考えられる。
上記印刷領域の設定は，制御部５０が設定完了キー７２の入力を受信することにより確定する。また，印刷領域の設定は設定クリアキー７３の入力を受信することにより取り消される。尚，元に戻るキーにより表示画面が戻り，キャンセルキーにより枠消し機能の設定がキャンセルされる。
このように，ステップＳ１６０において印刷領域設定処理を実行する機能が出力領域設定機能５３の一例である。
【００３２】
ステップＳ１７０では，制御部５０によって上記設定された印刷領域以外の画像データが予め所定の記憶部に格納されていた白画像データに置換される。従って，白画像データ置換処理後の記憶部５７には，原稿画像データと白画像データしか存在しないため，かかる画像データを印刷データとして印刷処理することにより，原稿画像の周囲の影部分が印刷されず，原稿画像のみが印刷出力される（Ｓ１８０）。
このように，上記ステップＳ１７０，Ｓ１８０においてステップＳ１６０で設定された印刷範囲以外の画像データを白画像データに置換して印刷出力処理を実行する機能が設定領域出力機能５４の一例である。もちろん前記したように，印刷範囲以外の画像データを原稿の地の色に置換しても良い。
【００３３】
【発明の効果】
以上説明したように，本発明によれば，主走査方向及び副操作方向にスライド可能なスライド部材を用いて，原稿台に対する原稿の位置を検出して，この検出結果に基づいて原稿画像の印刷範囲を設定し，かかる印刷範囲内の画像データを出力することにより，操作者は，煩雑な数値入力という作業をすることなく，上記スライド部材を操作するという簡単な方法により原稿画像の出力範囲を設定することが可能となる。その結果，何度も出力範囲の設定をする必要がなくなり，前記の時間の無駄及び紙資源の無駄が排除される。
【００３４】
また，読み取られた画像データをタッチパネル等の表示画面に表示させて，この表示画面上で原稿画像の出力領域を設定し，かかる印刷範囲内の画像データを出力することにより，読み取られた画像データを出力処理する前に確認することができ，画像データを見ながら出力領域を設定することが可能となる。従って，より正確に，より簡単に出力範囲を設定することができ，上記と同じく数値入力という煩雑な作業をする必要がなくなる。その結果，何度も出力範囲の設定をする必要がなくなり，前記の時間の無駄及び紙資源の無駄が排除される。
【図面の簡単な説明】
【図１】本発明の実施の形態１に係るディジタル複写機Ａ１の概略構成を示すブロック図。
【図２】スライド部材を備えた原稿台の模式図。
【図３】スライド部材の一例を示す図。
【図４】本発明の実施の形態１に係るディジタル複写機Ａ１の印刷処理手順の一例を説明するフローチャート。
【図５】本発明の実施の形態２に係るディジタル複写機Ａ２の概略構成を示すブロック図。
【図６】本発明の実施の形態２に係るディジタル複写機Ａ２の印刷処理手順の一例を説明するフローチャート。
【図７】枠消し設定画面の一例を示す図。
【図８】画像データを表示させる画像表示枠の一例を示す図。
【符号の説明】
１０…制御部
１１…位置検出機能
１２…出力範囲設定機能
１３…設定範囲出力機能
１５…操作表示部
１６…画像読取部
１７…記憶部
１８…印刷部
３０…原稿台
３１…厚手原稿
３２…用紙サイズ
３３ａ，３３ｂ…スケール（スライド部材の一例）
３４ａ，３４ｂ…板棒状部材（スライド部材の一例）
３５−１，３５−２…スライドガイド
３６…原稿台支え
３７…原稿合わせ基準位置
３７ａ…原稿合わせ基準位置ポイント
３８…原稿台外縁
３９…符号等記載面
５０…制御部
５１…画像データ記憶機能
５２…画面表示機能
５３…出力領域設定機能
５４…設定領域出力機能
５５…操作表示部
５６…画像読取部
５７…記憶部
５８…印刷部
７１…枠消し機能設定画面
７２…設定完了キー
７３…設定クリアキー
７４…元に戻るキー
７５…キャンセルキー
７９，７９ａ，７９ｂ…画面表示枠
８１…ポイント
８２，８３，５４，８５…ライン
８６，８７…スライドバー
８６ａ，８６ｂ…水平スクロール
８７ａ，８７ｂ…上下スクロール
【図１】
2004328080.tif 000003
【図２】
2004328080.tif 000004
【図３】
2004328080.tif 000005
【図４】
2004328080.tif 000006
【図５】
2004328080.tif 000007
【図６】
2004328080.tif 000008
【図７】
2004328080.tif 000009
【図８】
2004328080.tif 000010